(57)【要約】  本発明の実施形態は、DRXの実施方法、DRXの構成方法、および関連するデバイスを開示する。DRXの実施方法は、基地局によって送信されたDRX構成情報を端末によって受信するステップであって、端末が、短いTTIサブフレームの送信をサポートする、ステップと、DRX構成情報、システムフレーム番号SFN、および短いTTIサブフレームの番号に従ってDRXを実行するステップであって、短いTTIサブフレームが、短いTTIに従って付番されたサブフレームであり、短いTTIサブフレームの長さが、1ms未満である、ステップとを含む。本発明の実施形態においては、システムの性能全体を改善するために、DRXが、短いTTIで実施され得る。
2018517375.tif 000002
【特許請求の範囲】
【請求項１】
端末であって、
基地局によって送信された間欠受信DRX構成情報を受信するように構成された受信ユニットであって、前記端末が、短い送信時間間隔TTIサブフレームの送信をサポートする、受信ユニットと、
前記DRX構成情報、システムフレーム番号SFN、および前記短いTTIサブフレームのフレーム番号に従ってDRXを実行するように構成された処理ユニットであって、前記短いTTIサブフレームが、短いTTIに従って付番されたサブフレームであり、前記短いTTIサブフレームの長さが、1ms未満である、処理ユニットとを含む、端末。
【請求項２】
前記受信ユニットが前記基地局によって送信された前記DRX構成情報を受信する前に前記基地局に能力通知メッセージを送信するように構成された送信ユニットであって、前記能力通知メッセージが、前記端末が前記短いTTIサブフレームの送信をサポートすることを前記基地局に知らせるために使用される、送信ユニットをさらに含む請求項1に記載の端末。
【請求項３】
前記DRX構成情報が、
DRXに関連するタイマーのタイミングの長さ、短いDRXサイクルの長さ、長いDRXサイクルの長さ、およびDRX開始オフセットを含む請求項1に記載の端末。
【請求項４】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項3に記載の端末。
【請求項５】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項4に記載の端末。
【請求項６】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項4に記載の端末。
【請求項７】
前記長いTTIサブフレームの長さが、1msであり、前記長いTTIサブフレームが、長いTTIに従って付番されたサブフレームである請求項5または6に記載の端末。
【請求項８】
端末が短い送信時間間隔TTIサブフレームの送信をサポートすると判定するように構成された判定ユニットであって、前記短いTTIサブフレームが、短いTTIに従って付番されたサブフレームであり、前記短いTTIサブフレームの長さが、1ms未満である、判定ユニットと、
前記端末によってサポートされる前記短いTTIサブフレームの送信によって前記端末にDRX構成情報を届けるように構成された送信ユニットとを含む基地局。
【請求項９】
前記判定ユニットが前記端末が前記短いTTIサブフレームの送信をサポートすると判定する前に、前記端末によって送信された能力通知メッセージを受信するように構成された受信ユニットであって、前記能力通知メッセージが、前記端末が前記短いTTIサブフレームの送信をサポートすることを前記基地局に知らせるために使用される、受信ユニットをさらに含む請求項8に記載の基地局。
【請求項１０】
前記DRX構成情報が、
DRXに関連するタイマーのタイミングの長さ、短いDRXサイクルの長さ、長いDRXサイクルの長さ、およびDRX開始オフセットdrxStartOffsetを含む請求項8に記載の基地局。
【請求項１１】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項10に記載の基地局。
【請求項１２】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項11に記載の基地局。
【請求項１３】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項11に記載の基地局。
【請求項１４】
前記長いTTIサブフレームの長さが、1msであり、前記長いTTIサブフレームが、長いTTIに従って付番されたサブフレームである請求項12または13に記載の基地局。
【請求項１５】
間欠受信DRXの実施方法であって、
基地局によって送信されたDRX構成情報を端末によって受信するステップであって、前記端末が、短い送信時間間隔TTIサブフレームの送信をサポートする、ステップと、
前記DRX構成情報、システムフレーム番号SFN、および前記短いTTIサブフレームのフレーム番号に従ってDRXを実行するステップであって、前記短いTTIサブフレームが、短いTTIに従って付番されたサブフレームであり、前記短いTTIサブフレームの長さが、1ms未満である、ステップとを含む、方法。
【請求項１６】
基地局によって送信されたDRX構成情報を受信する前に、
前記基地局に能力通知メッセージを送信するステップであって、前記能力通知メッセージが、前記端末が前記短いTTIサブフレームの送信をサポートすることを前記基地局に知らせるために使用される、ステップをさらに含む請求項15に記載の方法。
【請求項１７】
前記DRX構成情報が、
DRXに関連するタイマーのタイミングの長さ、短いDRXサイクルの長さ、長いDRXサイクルの長さ、およびDRX開始オフセットdrxStartOffsetを含む請求項15に記載の方法。
【請求項１８】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項17に記載の方法。
【請求項１９】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項18に記載の方法。
【請求項２０】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項18に記載の方法。
【請求項２１】
前記長いTTIサブフレームの長さが、1msであり、前記長いTTIサブフレームが、長いTTIに従って付番されたサブフレームである請求項19または20に記載の方法。
【請求項２２】
間欠受信DRXの構成方法であって、
端末が短い送信時間間隔TTIサブフレームの送信をサポートすると基地局によって判定するステップであって、前記短いTTIサブフレームが、短いTTIに従って付番されたサブフレームであり、前記短いTTIサブフレームの長さが、1ms未満である、ステップと、
前記端末によってサポートされる前記短いTTIサブフレームの送信によって前記端末にDRX構成情報を届けるステップとを含む、方法。
【請求項２３】
端末が短いTTIサブフレームの送信をサポートすると判定する前に、
前記端末によって送信された能力通知メッセージを受信するステップであって、前記能力通知メッセージが、前記端末が前記短いTTIサブフレームの送信をサポートすることを前記基地局に知らせるために使用される、ステップをさらに含む請求項22に記載の方法。
【請求項２４】
前記DRX構成情報が、
DRXに関連するタイマーのタイミングの長さ、短いDRXサイクルの長さ、長いDRXサイクルの長さ、およびDRX開始オフセットdrxStartOffsetを含む請求項22に記載の方法。
【請求項２５】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項24に記載の方法。
【請求項２６】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項25に記載の方法。
【請求項２７】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項25に記載の方法。
【請求項２８】
前記長いTTIサブフレームの長さが、1msであり、前記長いTTIサブフレームが、長い
TTIに従って付番されたサブフレームである請求項26または27に記載の方法。
【発明の詳細な説明】
【技術分野】
【０００１】
本発明の実施形態は、通信テクノロジーの分野に関し、特に、間欠受信(Discontinuous Reception、DRX)の実施方法、間欠受信の構成方法、および関連するデバイスに関する。
【背景技術】
【０００２】
ロングタームエボリューション(Long Term Evolution、LTE)システムアーキテクチャにおいて、標準送信時間間隔(Transmission Time Interval、TTI)は、1msである。TTIは、無線リンク上の独立した復号送信の長さである。人々はモバイルデータサービスをますます必要としているので、増加するデータサービスは短遅延を必要とする。したがって、短いTTIの概念が導入される。調査および分析によれば、短いTTI(たとえば、0.5msのTTI)が使用されるとき、端末と基地局との間の処理遅延が削減される可能性があり、ネットワークのスループットおよび端末のスループットが増やされる可能性がある。短いTTIを使用することは、基地局または端末がデータを送信するために(1ms未満の)比較的小さな時間単位を使用することを意味する。
【０００３】
LTEシステムにおいては、基地局が、アップリンクおよびダウンリンクデータ送信を制御する責任を負う。基地局は、端末をスケジューリングすると決定するとき、物理ダウンリンク制御チャネル(Physical Downlink Control Channel、PDCCH)を使用することによって、データが送信または受信されるリソースを端末に知らせる。端末は、ダウンリンク制御チャネルをリスニングし、端末のスケジューリング情報が含まれる場合、ダウンリンク制御チャネルの命令に従ってデータ送信(アップリンク)または受信(ダウンリンク)を完了する。アクティブ状態では、端末が基地局が端末をスケジューリングする時間を知らないので、よくある動作モードは、以下の通りである。端末が、ダウンリンク制御チャネルを継続的にリスニングし、端末がスケジューリングされるかどうかを判定するために、ダウンリンク制御チャネルを含む各サブフレームを解析する。この動作方法では、より効率的なのは端末がより大きなデータ量に関連し、端末が頻繁にスケジューリングされる可能性があるときである。しかし、一部のサービスに関して、データは比較的少ない頻度で到着するので、端末はより少ない時間の量の間スケジューリングされる。この場合に、端末がやはり継続的にダウンリンク制御チャネルをリスニングする場合、端末の電力消費は、間違いなく増加する。電力消費の問題を解決するために、DRX動作モードが、LTEシステムにおいて使用される。この動作モードにおいて、端末は、電力を節約するためにダウンリンク制御チャネルを周期的にリスニングする。
【０００４】
従来技術においては、TTIが標準TTIである(つまり、TTIが1msである)ときにDRXを実施するソリューションのみが提供されるが、TTIが短縮されるときにDRXを実施するソリューションは提供されない。
【発明の概要】
【課題を解決するための手段】
【０００５】
これに鑑みて、本発明の実施形態は、短いTTIでDRXを実施し、システムの性能全体を改善するために、DRXの実施方法、DRXの構成方法、および関連するデバイスを提供する。
【０００６】
第1の態様によれば、本発明の実施形態は、端末であって、
基地局によって送信された間欠受信DRX構成情報を受信するように構成された受信ユニットであって、端末が、短い送信時間間隔TTIサブフレームの送信をサポートする、受信ユニットと、
DRX構成情報、システムフレーム番号SFN、および短いTTIサブフレームのフレーム番号に従ってDRXを実行するように構成された処理ユニットであって、短いTTIサブフレームが、短いTTIに従って付番されたサブフレームであり、短いTTIサブフレームの長さが、1ms未満である、処理ユニットとを含む、端末を提供する。
【０００７】
第1の態様に関連して、第1の態様の第1の実装においては、端末が、
受信ユニットが基地局によって送信されたDRX構成情報を受信する前に基地局に能力通知メッセージを送信するように構成された送信ユニットであって、能力通知メッセージが、端末が短いTTIサブフレームの送信をサポートすることを基地局に知らせるために使用される、送信ユニットをさらに含む。
【０００８】
第1の態様に関連して、第1の態様の第2の実装においては、DRX構成情報が、
DRXに関連するタイマーのタイミングの長さ、短いDRXサイクルの長さ、長いDRXサイクルの長さ、およびDRX開始オフセットdrxStartOffsetを含む。
【０００９】
第1の態様の第2の実装に関連して、第1の態様の第3の実装においては、DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【００１０】
第1の態様の第3の実装に関連して、第1の態様の第4の実装においては、DRX構成情報内のオン継続時間タイマーのタイミングの長さ、DRX非アクティブタイマーのタイミングの長さ、およびDRX再送信タイマーのタイミングの長さが、すべて短いTTIサブフレームの長さをパラメータとして使用し、それに対応して、タイミングの長さの特定の値が、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さが、すべて長いTTIサブフレームの長さをパラメータとして使用する。
【００１１】
第1の態様の第3の実装に関連して、第1の態様の第5の実装においては、DRX構成情報内のハイブリッド自動再送要求往復遅延時間タイマーのタイミングの長さが、短いTTIサブフレームの長さをパラメータとして使用し、短いTTIでハイブリッド自動再送要求往復遅延時間タイマーに含まれる短いTTIサブフレームの量が、長いTTIでハイブリッド自動再送要求往復遅延時間タイマーに含まれる長いTTIサブフレームの量と同じである。
【００１２】
第1の態様の第4または第5の実装に関連して、第1の態様の第6の実装においては、長いTTIサブフレームの長さが、1msであり、長いTTIサブフレームが、長いTTIに従って付番されたサブフレームである。
【００１３】
第2の態様によれば、本発明の実施形態が、
端末が短い送信時間間隔TTIサブフレームの送信をサポートすると判定するように構成された判定ユニットであって、短いTTIサブフレームが、短いTTIに従って付番されたサブフレームであり、短いTTIサブフレームの長さが、1ms未満である、判定ユニットと、
端末によってサポートされる短いTTIサブフレームの送信によって端末にDRX構成情報を届けるように構成された送信ユニットとを含む、基地局を提供する。
【００１４】
第2の態様に関連して、第2の態様の第1の実装においては、基地局が、
判定ユニットが端末が短いTTIサブフレームの送信をサポートすると判定する前に、端末によって送信された能力通知メッセージを受信するように構成された受信ユニットであって、能力通知メッセージが、端末が短いTTIサブフレームの送信をサポートすることを基地局に知らせるために使用される、受信ユニットをさらに含む。
【００１５】
第2の態様に関連して、第2の態様の第2の実装においては、DRX構成情報が、
DRXに関連するタイマーのタイミングの長さ、短いDRXサイクルの長さ、長いDRXサイクルの長さ、およびDRX開始オフセットdrxStartOffsetを含む。
【００１６】
第2の態様の第2の実装に関連して、第2の態様の第3の実装においては、DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【００１７】
第2の態様の第3の実装に関連して、第2の態様の第4の実装においては、DRX構成情報内のオン継続時間タイマーのタイミングの長さ、DRX非アクティブタイマーのタイミングの長さ、およびDRX再送信タイマーのタイミングの長さが、すべて短いTTIサブフレームの長さをパラメータとして使用し、それに対応して、タイミングの長さの特定の値が、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さが、すべて長いTTIサブフレームの長さをパラメータとして使用する。
【００１８】
第2の態様の第3の実装に関連して、第2の態様の第5の実装においては、DRX構成情報内のハイブリッド自動再送要求往復遅延時間タイマーのタイミングの長さが、短いTTIサブフレームの長さをパラメータとして使用し、短いTTIでハイブリッド自動再送要求往復遅延時間タイマーに含まれる短いTTIサブフレームの量が、長いTTIでハイブリッド自動再送要求往復遅延時間タイマーに含まれる長いTTIサブフレームの量と同じである。
【００１９】
第2の態様の第4または第5の実装に関連して、第2の態様の第6の実装においては、長いTTIサブフレームの長さが、1msであり、長いTTIサブフレームが、長いTTIに従って付番されたサブフレームである。
【００２０】
第3の態様によれば、本発明の実施形態は、間欠受信DRXの実施方法であって、
基地局によって送信されたDRX構成情報を端末によって受信するステップであって、端末が、短い送信時間間隔TTIサブフレームの送信をサポートする、ステップと、
DRX構成情報、システムフレーム番号SFN、および短いTTIサブフレームのフレーム番号に従ってDRXを実行するステップであって、短いTTIサブフレームが、短いTTIに従って付番されたサブフレームであり、短いTTIサブフレームの長さが、1ms未満である、ステップとを含む、方法を提供する。
【００２１】
第3の態様に関連して、第3の態様の第1の実装においては、基地局によって送信されたDRX構成情報を受信する前に、方法が、
基地局に能力通知メッセージを送信するステップであって、能力通知メッセージが、端末が短いTTIサブフレームの送信をサポートすることを基地局に知らせるために使用される、ステップをさらに含む。
【００２２】
第3の態様に関連して、第3の態様の第2の実装においては、DRX構成情報が、
DRXに関連するタイマーのタイミングの長さ、短いDRXサイクルの長さ、長いDRXサイクルの長さ、およびDRX開始オフセットdrxStartOffsetを含む。
【００２３】
第3の態様の第2の実装に関連して、第3の態様の第3の実装においては、DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【００２４】
第3の態様の第3の実装に関連して、第3の態様の第4の実装においては、DRX構成情報内のオン継続時間タイマーのタイミングの長さ、DRX非アクティブタイマーのタイミングの長さ、およびDRX再送信タイマーのタイミングの長さが、すべて短いTTIサブフレームの長さをパラメータとして使用し、それに対応して、タイミングの長さの特定の値が、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さが、すべて長いTTIサブフレームの長さをパラメータとして使用する。
【００２５】
第3の態様の第3の実装に関連して、第3の態様の第5の実装においては、DRX構成情報内のハイブリッド自動再送要求往復遅延時間タイマーのタイミングの長さが、短いTTIサブフレームの長さをパラメータとして使用し、短いTTIでハイブリッド自動再送要求往復遅延時間タイマーに含まれる短いTTIサブフレームの量が、長いTTIでハイブリッド自動再送要求往復遅延時間タイマーに含まれる長いTTIサブフレームの量と同じである。
【００２６】
第3の態様の第4または第5の実装に関連して、第3の態様の第6の実装においては、長いTTIサブフレームの長さが、1msであり、長いTTIサブフレームが、長いTTIに従って付番されたサブフレームである。
【００２７】
第4の態様によれば、本発明の実施形態は、間欠受信DRXの構成方法であって、
端末が短い送信時間間隔TTIサブフレームの送信をサポートすると基地局によって判定するステップであって、短いTTIサブフレームが、短いTTIに従って付番されたサブフレームであり、短いTTIサブフレームの長さが、1ms未満である、ステップと、
端末によってサポートされる短いTTIサブフレームの送信によって端末にDRX構成情報を届けるステップとを含む、方法を提供する。
【００２８】
第4の態様に関連して、第4の態様の第1の実装においては、端末が短いTTIサブフレームの送信をサポートすると判定する前に、方法が、
端末によって送信された能力通知メッセージを受信するステップであって、能力通知メッセージが、端末が短いTTIサブフレームの送信をサポートすることを基地局に知らせるために使用される、ステップをさらに含む。
【００２９】
第4の態様に関連して、第4の態様の第2の実装においては、DRX構成情報が、
DRXに関連するタイマーのタイミングの長さ、短いDRXサイクルの長さ、長いDRXサイクルの長さ、およびDRX開始オフセットdrxStartOffsetを含む。
【００３０】
第4の態様の第2の実装に関連して、第4の態様の第3の実装においては、DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【００３１】
第4の態様の第3の実装に関連して、第4の態様の第4の実装においては、DRX構成情報内のオン継続時間タイマーのタイミングの長さ、DRX非アクティブタイマーのタイミングの長さ、およびDRX再送信タイマーのタイミングの長さが、すべて短いTTIサブフレームの長さをパラメータとして使用し、それに対応して、タイミングの長さの特定の値が、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さが、すべて長いTTIサブフレームの長さをパラメータとして使用する。
【００３２】
第4の態様の第3の実装に関連して、第4の態様の第5の実装においては、DRX構成情報内のハイブリッド自動再送要求往復遅延時間タイマーのタイミングの長さが、短いTTIサブフレームの長さをパラメータとして使用し、短いTTIでハイブリッド自動再送要求往復遅延時間タイマーに含まれる短いTTIサブフレームの量が、長いTTIでハイブリッド自動再送要求往復遅延時間タイマーに含まれる長いTTIサブフレームの量と同じである。
【００３３】
第4の態様の第4または第5の実装に関連して、第4の態様の第6の実装においては、長いTTIサブフレームの長さが、1msであり、長いTTIサブフレームが、長いTTIに従って付番されたサブフレームである。
【００３４】
第5の態様によれば、本発明の実施形態は、第1のメモリ、第1のプロセッサ、および第1のトランシーバを含み、第1のプロセッサが、以下の機能、すなわち、
基地局によって送信されたDRX構成情報を受信するように第1のトランシーバを制御することと、
DRX構成情報、システムフレーム番号SFN、および短いTTIサブフレームのフレーム番号に従ってDRXを実行することであって、短いTTIサブフレームが、短いTTIに従って付番されたサブフレームであり、短いTTIサブフレームの長さが、1ms未満である、実行することとを実施するために第1のメモリに記憶されたソフトウェアプログラムを呼び出す端末を提供する。
【００３５】
第5の態様に関連して、第5の態様の第1の実装においては、第1のプロセッサが、基地局によって送信されたDRX構成情報を受信するように第1のトランシーバを制御する前に、基地局に能力通知メッセージを送信するように第1のトランシーバを制御するようにさらに構成され、能力通知メッセージは、端末が短いTTIサブフレームの送信をサポートすることを基地局に知らせるために使用される。
【００３６】
第5の態様に関連して、第5の態様の第2の実装においては、DRX構成情報が、
DRXに関連するタイマーのタイミングの長さ、短いDRXサイクルの長さ、長いDRXサイクルの長さ、およびDRX開始オフセットdrxStartOffsetを含む。
【００３７】
第5の態様の第2の実装に関連して、第5の態様の第3の実装においては、DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【００３８】
第5の態様の第3の実装に関連して、第5の態様の第4の実装においては、DRX構成情報内のオン継続時間タイマーのタイミングの長さ、DRX非アクティブタイマーのタイミングの長さ、およびDRX再送信タイマーのタイミングの長さが、すべて短いTTIサブフレームの長さをパラメータとして使用し、それに対応して、タイミングの長さの特定の値が、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さは、すべて長いTTIサブフレームの長さをパラメータとして使用する。
【００３９】
第5の態様の第3の実装に関連して、第5の態様の第5の実装においては、DRX構成情報内のハイブリッド自動再送要求往復遅延時間タイマーのタイミングの長さが、短いTTIサブフレームの長さをパラメータとして使用し、短いTTIでハイブリッド自動再送要求往復遅延時間タイマーに含まれる短いTTIサブフレームの量が、長いTTIでハイブリッド自動再送要求往復遅延時間タイマーに含まれる長いTTIサブフレームの量と同じである。
【００４０】
第5の態様の第4または第5の実装に関連して、第5の態様の第6の実装においては、長いTTIサブフレームの長さが、1msであり、長いTTIサブフレームが、長いTTIに従って付番されたサブフレームである。
【００４１】
第6の態様によれば、本発明の実施形態が、第2のメモリ、第2のプロセッサ、および第2のトランシーバを含み、第2のプロセッサが、以下の機能、すなわち、
端末が短いTTIサブフレームの送信をサポートすると判定することであって、短いTTIサブフレームが、短いTTIに従って付番されたサブフレームであり、短いTTIサブフレームの長さが、1ms未満である、判定することと、
端末によってサポートされる短いTTIサブフレームの送信によって端末にDRX構成情報を届けるように第2のトランシーバを制御することとを実施するために第2のメモリに記憶されたソフトウェアプログラムを呼び出す基地局を提供する。
【００４２】
第6の態様に関連して、第6の態様の第1の実装においては、端末が短いTTIサブフレームの送信をサポートすると判定する前に、第2のプロセッサが、端末によって送信された能力通知メッセージを受信するように第2のトランシーバを制御し、能力通知メッセージは、端末が短いTTIサブフレームの送信をサポートすることを基地局に知らせるために使用される。
【００４３】
第6の態様に関連して、第6の態様の第2の実装においては、DRX構成情報が、
DRXに関連するタイマーのタイミングの長さ、短いDRXサイクルの長さ、長いDRXサイクルの長さ、およびDRX開始オフセットdrxStartOffsetを含む。
【００４４】
第6の態様の第2の実装に関連して、第6の態様の第3の実装においては、DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【００４５】
第6の態様の第3の実装に関連して、第6の態様の第4の実装においては、DRX構成情報内のオン継続時間タイマーのタイミングの長さ、DRX非アクティブタイマーのタイミングの長さ、およびDRX再送信タイマーのタイミングの長さが、すべて短いTTIサブフレームの長さをパラメータとして使用し、それに対応して、タイミングの長さの特定の値が、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さが、すべて長いTTIサブフレームの長さをパラメータとして使用する。
【００４６】
第6の態様の第3の実装に関連して、第6の態様の第5の実装においては、DRX構成情報内のハイブリッド自動再送要求往復遅延時間タイマーのタイミングの長さが、短いTTIサブフレームの長さをパラメータとして使用し、短いTTIでハイブリッド自動再送要求往復遅延時間タイマーに含まれる短いTTIサブフレームの量が、長いTTIでハイブリッド自動再送要求往復遅延時間タイマーに含まれる長いTTIサブフレームの量と同じである。
【００４７】
第6の態様の第4または第5の実装に関連して、第6の態様の第6の実装においては、長いTTIサブフレームの長さが、1msであり、長いTTIサブフレームが、長いTTIに従って付番されたサブフレームである。
【００４８】
本発明の実施形態が以下の利点を有することは、上述の技術的なソリューションから分かる。
【００４９】
本発明の実施形態においては、基地局が、端末によってサポートされる短いTTIサブフレームの送信によって端末にDRX構成情報を届ける。端末の受信ユニットが、基地局によって届けられたDRX構成情報を受信する。処理ユニットが、基地局によって届けられたDRX構成情報、システムフレーム番号、および短いTTIサブフレームのフレーム番号に従ってDRXを実行する。短いTTIサブフレームは、短いTTIに従って付番されたサブフレームであり、現在の標準TTIサブフレームの長さが1msである一方、短いTTIサブフレームの長さは、1ms未満である。したがって、本発明の実施形態は、システムの性能全体を改善するために、TTIが短くされるときにDRXを実施するソリューションを提供する。
【００５０】
本発明の実施形態または従来技術における技術的なソリューションをより明瞭に説明するために、以下で、実施形態または従来技術を説明するために必要とされる添付の図面を簡潔に説明する。明らかに、以下の説明における添付の図面は、本発明の一部の実施形態を示すに過ぎず、当業者は、創造的な努力なしにこれらの添付の図面からその他の図面を導き出すことがやはり可能である。
【図面の簡単な説明】
【００５１】
【図１】本発明の実施形態による端末の概略図である。
【図２】本発明の別の実施形態による端末の概略図である。
【図３】本発明の実施形態による基地局の概略図である。
【図４】本発明の別の実施形態による基地局の概略図である。
【図５】本発明の実施形態によるDRXの実施方法の概略図である。
【図６】本発明の実施形態によるDRXの構成方法の概略図である。
【発明を実施するための形態】
【００５２】
以下で、本発明の実施形態における技術的なソリューションを本発明の実施形態において添付の図面を参照して説明する。明らかに、説明される実施形態は、本発明の実施形態のすべてではなく一部であるに過ぎない。創造的な努力なしに本発明の実施形態に基づいて当業者によって得られるすべてのその他の実施形態は、本発明の保護範囲内に入る。
【００５３】
短いTTI(たとえば、1ms未満のTTI)が使用されるとき、端末と基地局との間の処理遅延が削減される可能性があり、ネットワークのスループットおよび端末のスループットが増やされる可能性がある。従来技術においては、TTIが短縮されるときにDRXを実施するソリューションは、提供されない。したがって、本発明の実施形態は、短いTTIでDRXを実施するために、DRXの実施方法、DRXの構成方法、および関連するデバイスを提供する。このようにして、端末と基地局との間の処理遅延が削減され、ネットワークのスループットおよび端末のスループットが増やされ、システムの性能全体が改善される。
【００５４】
図1を参照すると、本発明の実施形態の端末が、
基地局によって送信されたDRX構成情報を受信するように構成された受信ユニット101であって、端末が、短いTTIサブフレームの送信をサポートする、受信ユニット101と、
DRX構成情報、システムフレーム番号SFN、および短いTTIサブフレームのフレーム番号に従ってDRXを実行するように構成された処理ユニット102であって、短いTTIサブフレームが、短いTTIに従って付番されたサブフレームであり、短いTTIサブフレームの長さが、1ms未満である、処理ユニット102とを含む。
【００５５】
加えて、この実施形態の端末は、
受信ユニット101が基地局によって送信されたDRX構成情報を受信する前に基地局に能力通知メッセージを送信するように構成された送信ユニット103であって、能力通知メッセージが、端末が短いTTIサブフレームの送信をサポートすることを基地局に知らせるために使用される、送信ユニット103をさらに含み得る。
【００５６】
特定の実装においては、端末がネットワークにアクセスするとき、送信ユニット103が、基地局に能力通知メッセージを送信する可能性があり、基地局は、通知メッセージに従って、端末が短いTTIサブフレームの送信をサポートすると判定する。代替的に、基地局は、端末に関連する予め記憶された情報に従って、端末が短いTTIサブフレームの送信をサポートすると判定する。短いTTIサブフレームの長さの値は、0msから1msまで、たとえば、0.5msまたは0.8ms以内に入る可能性がある。端末が短いTTIサブフレームの送信をサポートすると判定した後、基地局は、端末によってサポートされる短いTTIサブフレームの送信に従って、無線リソース制御(Radio Resource Control、RRC)シグナリングを使用することによって端末にDRX構成情報を届け、受信ユニット101は、基地局によって届けられたDRX構成情報を受信する。
【００５７】
DRX構成情報は、オン継続時間タイマーonDurationTimerのタイミングの長さ、DRX非アクティブタイマーdrx-InactivityTimerのタイミングの長さ、DRX再送信タイマーdrx-RetransmissionTimerのタイミングの長さ、ハイブリッド自動再送要求往復遅延時間タイマーHARQ RTT Timerのタイミングの長さ、短いDRXサイクルの長さ、長いDRXサイクルの長さ、およびDRX開始オフセットdrxStartOffsetを含む。
【００５８】
短いDRXサイクルの長さと長いDRXサイクルの長さとの両方が、短いTTIサブフレームの長さをパラメータとして使用する。それに対応して、サイクルの長さの特定の値は、短いDRXサイクルの長さおよび長いDRXサイクルの長さが長いTTIサブフレームの長さをパラメータとして使用するときの短いDRXサイクルの長さの特定の値および長いDRXサイクルの長さの特定の値と同じである。DRX開始オフセットdrxStartOffsetは、短いTTIサブフレームをパラメータとして使用することによってカウントされる。
【００５９】
長いTTIサブフレームの長さは、既存の標準TTIの長さである可能性があり、つまり、長いTTIサブフレームの長さは、1msである。確かに、長いTTIサブフレームの長さは、1ms未満の別の値である可能性があり、短いTTIサブフレームの長さは、長いTTIサブフレームの長さ未満である。
【００６０】
さらに、オン継続時間タイマーのタイミングの長さ、DRX非アクティブタイマーのタイミングの長さ、およびDRX再送信タイマーのタイミングの長さは、すべて短いTTIサブフレームの長さをパラメータとして使用し、それに対応して、タイミングの長さの特定の値は、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
オン継続時間タイマーのタイミングの長さ、DRX非アクティブタイマーのタイミングの長さ、およびDRX再送信タイマーのタイミングの長さは、長いTTIサブフレームの長さをパラメータとして引き続き使用し、タイミングの長さは、変わらない。
【００６１】
たとえば、長いTTIかまたは短いTTIかのどちらかが使用され、オン継続時間タイマーのタイミングの長さは10msである。短いTTIサブフレームの長さが0.5msであると仮定すると、短いTTIサブフレームの長さがパラメータとして使用される場合、オン継続時間タイマーのものであり、RRCシグナリング内で構成されるタイミングの長さは、20個の短いTTIサブフレームの長さであり、または長いTTIサブフレームの長さがパラメータとして使用される場合、オン継続時間タイマーのものであり、RRCシグナリング内で構成されるタイミングの長さは、10個の長いTTIサブフレームの長さである。
【００６２】
ハイブリッド自動再送要求往復遅延時間タイマーのタイミングの長さも、短いTTIサブフレームの長さをパラメータとして使用する。短いTTIでハイブリッド自動再送要求往復遅延時間タイマーに含まれる短いTTIサブフレームの量は、長いTTIでハイブリッド自動再送要求往復遅延時間タイマーに含まれる長いTTIサブフレームの量と同じである。つまり、ハイブリッド自動再送要求往復遅延時間タイマーのタイミングの長さは、2つの場合で変わる。たとえば、短いTTIサブフレームの長さは、0.5msであり、ハイブリッド自動再送要求往復遅延時間タイマーのタイミングの長さは、長いTTIで8つの長いTTIサブフレームの長さ(すなわち、8ms)であり、ハイブリッド自動再送要求往復遅延時間タイマーのタイミングの長さは、短いTTIで8つの短いTTIサブフレームの長さ(すなわち、4ms)である。
【００６３】
端末側では、短いTTIサブフレームが、短いTTIに従って付番され、短いTTIサブフレームの長さは、短いTTIの長さ、たとえば、0.5msと同じである。受信ユニット101が基地局によって届けられたDRX構成情報を受信した後、処理ユニット102は、DRX構成情報に従ってDRXを実行する。
【００６４】
特に、処理ユニット102がDRXを実行するプロセスは、以下の通りである可能性がある。
【００６５】
短いDRXサイクルが使用されるとき、短いTTIサブフレームのフレーム番号(shortenSubframe)が、次の条件、すなわち、
[(SFN * 10) + 短いTTIサブフレームのフレーム番号] mod (短いDRXサイクルの長さ) = (drxStartOffset) mod (短いDRXサイクルの長さ)を満たす場合、オン継続時間タイマーが、有効化され、PDCCHのリスニングが、始まる。本明細書において、SFNは、システムフレーム番号であり、システムフレーム番号は、基地局によって送信されるブロードキャストメッセージおよびブラインド検出の結果に従って端末によって決定される可能性があり、drxStartOffsetは、DRX開始オフセット、すなわち、DRXにおいてオン継続時間タイマーが有効化される短いTTIサブフレームである。
【００６６】
長いDRXサイクルが使用されるとき、短いTTIサブフレームのフレーム番号が、次の条件、すなわち、
[(SFN * 10) + 短いTTIサブフレームのフレーム番号] mod (長いDRXサイクルの長さ) = drxStartOffsetを満たす場合、オン継続時間タイマーが、有効化され、PDCCHのリスニングが、始まる。
【００６７】
加えて、短いTTIサブフレームのフレーム番号が上述の条件を満たし、瞬間が正に整数の瞬間であるとき、端末のデータ収集を容易にするために、オン継続時間タイマーが、有効化される可能性があり、PDCCHのリスニングが、始まる。たとえば、短いTTIサブフレームの長さが0.5msであるとき、オン継続時間タイマーは、短いTTIサブフレームのフレーム番号が上述の条件を満たし、フレーム番号が偶数であるときに有効化される可能性がある。このようにして、リスニングの開始の瞬間は、ちょうど整数の瞬間(たとえば、1msまたは2ms)である。
【００６８】
オン継続時間タイマーが有効化され、PDCCHがリスニングされるとき、端末がHARQの初期送信に関する制御シグナリングを受信する場合、DRX非アクティブタイマーが、リスニング時間を遅らせるために有効化される。さらに、HARQ RTTタイマーが有効化される。したがって、端末は、次の再送信の前にPDCCHをリスニングしない可能性がある。つまり、端末は、DRX非アクティブタイマーが切れた後およびHARQ RTTタイマーが切れる前にPDCCHをリスニングしない。対応するHARQ手順のデータが前のHARQ送信の後で正常に復号されない(たとえば、端末が否定応答NACKをフィードバックする)場合、HARQ RTTタイマーが切れた後、端末は、DRX再送信タイマーを有効化し、PDCCHをリスニングし続ける。
【００６９】
オン継続時間タイマー、DRX非アクティブタイマー、またはDRX再送信タイマーのうちのいずれか1つが動くように有効化される限り端末がPDCCHをリスニングすることが、上述のプロセスから知られ得る。
【００７０】
この実施形態においては、基地局が、端末によってサポートされる短いTTIサブフレームの送信によって端末にDRX構成情報を届ける。端末の受信ユニットが、基地局によって届けられたDRX構成情報を受信する。処理ユニットが、基地局によって届けられたDRX構成情報、システムフレーム番号、および短いTTIサブフレームの番号に従ってDRXを実行する。短いTTIサブフレームは、短いTTIに従って付番されたサブフレームであり、既存の標準TTIサブフレームの長さが1msである一方、短いTTIサブフレームの長さは、1ms未満である。したがって、この実施形態は、システムの性能全体を改善するために、TTIが短くされるときにDRXを実施するソリューションを提供する。
【００７１】
上述の実施形態は、短いTTIをDRXに適用する筋書きを説明する。実際の応用においては、短いTTIが、別の筋書きにさらに適用される可能性がある。説明を容易にするために、下で言及される短いTTIの継続時間は、デフォルトで長いTTIの継続時間の半分、すなわち、0.5msである。特定の応用の筋書きは、以下の通りである。
【００７２】
第1の応用の筋書きでは、短いTTIが、半永続的スケジューリング(Semi-Persistent Scheduling、SPS)の筋書きに適用される可能性がある。長いTTIでは、ダウンリンクデータに関して、サブフレームのフレーム番号が下の式を満たすとき、SPSに対応するリソース割り当てがサブフレームにおいて得られる可能性があり、対応するSPS送信がアクティブ化される。
(10 * SFN + 長いTTIサブフレームのフレーム番号) = [(10 * SFNstart time + Subframestart time) + N * SemiPersistSchedIntervalDL] modulo 10240
【００７３】
本明細書において、SFNは、システムフレーム番号であり、Nは、構成された半永続的スケジューリングが維持され得るサイクルの量であり、semiPersistSchedIntervalDLは、半永続的スケジューリングのダウンリンクサイクルの長さ、つまり、半永続的にスケジューリングされたリソースが現れる周期であり、SFNstart timeおよびSubframestart timeは、端末によって受信され、アップリンク/ダウンリンクのSPSのアクティブ化を示すPDCCHのシステムフレーム番号およびサブフレーム番号である。
【００７４】
アップリンクデータに関して、サブフレームのフレーム番号が下の式を満たすとき、SPSに対応するリソース割り当てがサブフレームにおいて得られる可能性があり、対応するSPS送信がアクティブ化される。
(10 * SFN + 長いTTIサブフレームのフレーム番号) = [(10 * SFNstart time + Subframestart time) + N * SemiPersistSchedIntervalUL + Subframe_Offset * (N modulo 2)] modulo 10240。本明細書において、semiPersistSchedIntervalULは、半永続的スケジューリングのアップリンクサイクルの長さであり、Subframe_Offsetは、サブフレームのオフセットである。
【００７５】
長いTTIでは、SFNサイクル内に合計で10240個の長いTTIサブフレームがある。短いTTIでは、短いTTIサブフレームの長さは、長いTTIサブフレームの長さの半分である。したがって、SFNサイクルの長さ全体を変えずにおくためには、20480個の短いTTIサブフレームが含まれる必要がある。同様に、SFNは、元々、10個の長いTTIサブフレームを含む。短いTTIサブフレームが使用されるとき、SFNの長さを変えずにおくためには、SFNは、20個の短いTTIサブフレームを含む必要がある。
【００７６】
それに対応して、短いTTIサブフレームが使用された後、SPSに対応するリソース割り当てが得られ、対応するSPS送信がアクティブ化されるアップリンクおよびダウンリンクの位置を決定するための式は、次の通りである可能性がある。
ダウンリンクにおいて: (20 * SFN + 短いTTIサブフレームのフレーム番号) = [(20 * SFNstart time + Subframestart time) + N * SemiPersistSchedIntervalDL] modulo 20480、および
アップリンクにおいて: (20 * SFN +短いTTIサブフレームのフレーム番号) = [(20 * SFNstart time + Subframestart time) + N * SemiPersistSchedIntervalUL + Subframe_Offset * (N modulo 2)] modulo 20480
【００７７】
第2の応用の筋書きでは、サブフレームがカウントするために使用される一部の筋書きにおいては、短いTTIサブフレームがカウントするために使用される場合、対応するサブフレームの量が、それに対応して増やされる必要がある。たとえば、バッファステータスレポート(Buffer Status Report、BSR)内のperiodicBSR-TimerおよびretxBSR-Timerの2つのタイマーのサブフレームのカウントのため、および物理(Physical、PHY)レイヤ、媒体アクセス制御(Medium Access Control、MAC)レイヤ、RRCレイヤなどのサブフレームのカウントのために、サブフレームの量が、それに対応して増やされる必要がある。
【００７８】
特に、たとえば、端末がランダムアクセスを実行するプロセスにおいて、短いTTIサブフレームが使用される場合、対応するサブフレームの量が、それに対応して増やされる必要がある。このプロセスにおいて、端末は、まず、プリアンブルシーケンスを運ぶメッセージ1(Msg1)を、ランダムアクセスチャネル(Random Access Channel、RACH)を使用することによって基地局に送信する。UEによって送信されたMsg1を受信した後、基地局は、メッセージ2(Msg2)を端末に返す。無線ネットワーク一時識別子(Radio Network Temporary Identity、RNTI)が、端末がMsg2を受信するプロセスにおいてインデックスとして使用される必要がある。RNTIの計算方法は、次の通りである。
RA-RNTI= 1 + t_id+10*f_id
【００７９】
本明細書において、t_idは、プリアンブルシーケンスを運ぶMsg1が送信される瞬間の第1のサブフレームの番号を表し、f_idは、周波数領域の番号を表す。t_idがサブフレーム番号であるので、短いTTIが使用される場合、番号の範囲が、それに対応して広げられる必要がある。たとえば、元の番号の範囲が、0≦t_id<10であり、現在の範囲が、0≦t_id<20であるはずである。
【００８０】
さらに、端末は、時間窓内にMsg2を受信する。この時間窓は、端末がMsg1を送信するサブフレームの後の第3のサブフレームから始まり、ra-ResponseWindowSizeの長さを有する。短いTTIサブフレームがカウントするために使用される場合、この時間窓の長さを表すために使用されるサブフレームの量が、倍にされる必要がある。
【００８１】
コンテンションに基づくランダムアクセスに関して、Msg2を受信した後、端末は、さらに、基地局にメッセージ3(Msg3)を送信する必要がある。端末が基地局によって返されたメッセージ4(Msg4)を受信した後にのみ、端末がネットワークに正常にアクセスするとみなされる。端末がMsg3を送信した後、端末がMsg4を受信するのを待つプロセスにおいて、MACコンテンション解決タイマーが、使用される必要がある。短いTTIサブフレームが使用される場合、このタイマーのタイミングの長さを表すために使用されるサブフレームの量が、倍にされる必要がある。
【００８２】
第3の応用の筋書きにおいては、短いTTIが使用され、SFNの長さが変わらないままである場合、SFN内のサブフレームのカウントが、広げられる必要がある。このようにして、短いTTIをサポートする端末が長いTTIをサポートする端末と互換性を持ち得るように、SFNをブロードキャストする2つのメカニズムが基地局側で必要とされる。別の方法では、短いTTIをサポートする端末のみが存在する。この場合、基地局は、SFNをブロードキャストする1つのメカニズムのみを必要とする。
【００８３】
第4の応用の筋書きにおいて、この実施形態は、短いTTIでDRXを実施する別のソリューションを提供する。この実施形態においては、ダウンリンクにおいてPDCCHがリスニングされる短いTTIサブフレームが、短いTTIで定義され、つまり、shortenPdcchSubframeである。また、shortenPdcchSubframeは、短いTTIに従って付番されるが、短いTTIサブフレームは、ダウンリンクサブフレームにのみなり得る。
【００８４】
短いDRXサイクルが使用されるとき、shortenPdcchSubframeのフレーム番号が、次の条件、すなわち、
[(SFN * 10) + shortenPdcchSubframeのフレーム番号] mod (短いDRXサイクルの長さ) = (drxStartOffset) mod (短いDRXサイクルの長さ)を満たす場合、オン継続時間タイマーが、有効化され、PDCCHのリスニングが、始まる。
【００８５】
長いDRXサイクルが使用されるとき、shortenPdcchSubframeのフレーム番号が、次の条件、すなわち、
[(SFN * 10) + shortenPdcchSubframeのフレーム番号] mod (長いDRXサイクルの長さ) = drxStartOffsetを満たす場合、オン継続時間タイマーが、有効化され、PDCCHのリスニングが、始まる。
【００８６】
その後の処理プロセスは、上述の実施形態においてshortenSubframeを使用することによって短いTTIでDRXを実装するプロセスと同じである。詳細は、本明細書において再度説明されない。
【００８７】
第5の応用の筋書きにおいて、短いTTIは、マルチメディアブロードキャストマルチキャストサービス(Multimedia Broadcast Multicast Service、MBMS)の筋書きに適用される可能性がある。特定のプロセスは、以下の通りである可能性がある。
【００８８】
ステップ1:  基地局が、RRCシグナリングを使用することによって端末に予め構成された短いTTI MBMSリソースを送信し、予め構成された短いTTI MBMSリソースは、物理レイヤ制御チャネルリソースおよび物理レイヤデータチャネルリソースを含み、これらのリソースは、時分割または周波数分割に基づく可能性がある。
【００８９】
端末と基地局との両方が予め構成された短いTTI MBMSリソースを知る場合、ステップ1は必要とされず、ステップ2が直接実行されることに留意されたい。
【００９０】
ステップ2:  基地局が、端末が短いTTI動作モードで動作するように、ネットワークにアクセスする端末を構成する。
【００９１】
ステップ3:  基地局が、端末がMBMSサービスを実行するように端末を構成する。
【００９２】
ステップ4:  基地局が、短いTTIの動作方法で端末にMBMSデータを送信する。
【００９３】
特定の短いTTI動作モードにおいては、短いTTIサブフレームなどが使用される可能性があり、つまり、MBMSサービスが送信されるとき、比較的短いTTIサブフレームが使用される。
【００９４】
第6の応用の筋書きにおいて、短いTTIは、デバイスツーデバイス(Device to Device、D2D)の筋書きに適用される可能性がある。既存のD2D通信テクノロジーにおいては、長いTTI(すなわち、1msのTTI)が、通信のために使用される。遅延を短くするために、短いTTIが、D2Dの筋書きにおいて通信のために使用され得る。短いTTIが通信のために使用されるときは、端末が別のD2D端末の短いTTIの能力をどのようにして知るかが、早急に解決される必要がある問題である。この実施形態は、以下の通りである可能性がある詳細なソリューションを提供する。
【００９５】
ステップ1:  基地局が、RRCシグナリングを使用することによって端末1に予め構成されたD2Dリソースプールを送信する。予め構成されたD2Dリソースプールは、物理レイヤ制御チャネルリソースプールおよび物理レイヤデータチャネルリソースプールを含む。端末は、リソースプールを使用することによって通信プロセスまたは発見プロセスを実行し得る。
【００９６】
端末と基地局との両方が予め構成されたD2Dリソースプールを知る場合、ステップ1は必要とされず、ステップ2が直接実行されることに留意されたい。
【００９７】
ステップ2:  基地局が、端末が短いTTI動作モードで動作するように、ネットワークにアクセスする端末1を構成する。
【００９８】
ステップ3:  端末1が、端末2(または別のD2D端末)の短いTTI能力情報、たとえば、端末2が短いTTIの動作方法をサポートするかどうか、または端末2の短いTTI構成情報(たとえば、制御チャネルおよびデータチャネルの時間-周波数リソースの位置)を取得する。
【００９９】
任意で、端末2の短いTTI能力情報を取得するための方法は、以下を含む可能性がある。端末1が、基地局によって送信されたRRCシグナリングに従って端末2の短いTTI能力情報を取得するか、端末1が、コアネットワークから端末2の短いTTI能力情報を取得するか、端末1が、端末2のマルチキャストメッセージを使用することによって端末2の短いTTI能力情報を取得するか、または端末1が、端末2の能力を検出する要求を別のD2D端末に送信し、端末1が、別の端末からのフィードバックの結果に従って端末2の短いTTI能力を知る。
【０１００】
ステップ4:  端末1が、短いTTIの動作方法で端末2にD2Dデータを送信する。任意で、端末2は、端末2が端末1のTTIの長さに従ってデータの受信またはデータのフィードバックを実行するように、端末1の動作モードが短いTTIであることを前もって知る可能性がある。端末2が端末1の動作モードを知る特定の方法は、以下を含む可能性がある。端末2が、基地局によって端末2に送信されたRRCシグナリングに従って端末1の動作モードを知るか、端末2が、コアネットワークから端末1の動作モードを知るか、端末2が、端末1によって送信されたマルチキャストメッセージを読むことによって端末1の動作モードを知るか、または端末2が、端末1に動作モードを知る要求を直接送信し、端末1のフィードバック情報、端末1によって制御情報に追加された短いTTI使用制御情報などに従って端末1の動作モードを知る。特定の短いTTIの動作方法においては、新しいサブフレームの長さが、データの受信および送信のために使用される可能性があるか、制御チャネルが、短いTTIを使用し、データチャネルが、長いTTIを使用するか、制御チャネルが、長いTTIを使用し、データチャネルが、短いTTIを使用するか、または異なるTTIの長さが、送信プロセスおよび受信プロセスにおいて使用される。
【０１０１】
図2を参照すると、本発明の別の実施形態の端末が、第1のメモリ201、第1のプロセッサ202、および第1のトランシーバ203を含む。第1のプロセッサ202は、以下の機能、すなわち、
基地局によって送信されたDRX構成情報を受信するように第1のトランシーバ203を制御することと、
DRX構成情報、システムフレーム番号SFN、および短いTTIサブフレームのフレーム番号に従ってDRXを実行することであって、短いTTIサブフレームが、短いTTIに従って付番されたサブフレームであり、短いTTIサブフレームの長さが、1ms未満である、実行することとを実施するために第1のメモリ201に記憶されたソフトウェアプログラムを呼び出す。
【０１０２】
任意で、第1のプロセッサ202は、基地局によって送信されたDRX構成情報を受信するように第1のトランシーバ203を制御する前に、基地局に能力通知メッセージを送信するように第1のトランシーバ203を制御するようにさらに構成され、能力通知メッセージは、端末が短いTTIサブフレームの送信をサポートすることを基地局に知らせるために使用される。
【０１０３】
任意で、DRX構成情報は、
DRXに関連するタイマーのタイミングの長さ、短いDRXサイクルの長さ、長いDRXサイクルの長さ、およびDRX開始オフセットdrxStartOffsetを含む。
【０１０４】
任意で、DRXに関連するタイマーは、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【０１０５】
任意で、DRX構成情報内のオン継続時間タイマーのタイミングの長さ、DRX非アクティブタイマーのタイミングの長さ、およびDRX再送信タイマーのタイミングの長さは、すべて短いTTIサブフレームの長さをパラメータとして使用し、それに対応して、タイミングの長さの特定の値は、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さは、すべて長いTTIサブフレームの長さをパラメータとして使用する。
【０１０６】
任意で、DRX構成情報内のハイブリッド自動再送要求往復遅延時間タイマーのタイミングの長さは、短いTTIサブフレームの長さをパラメータとして使用し、短いTTIでハイブリッド自動再送要求往復遅延時間タイマーに含まれる短いTTIサブフレームの量は、長いTTIでハイブリッド自動再送要求往復遅延時間タイマーに含まれる長いTTIサブフレームの量と同じである。
【０１０７】
任意で、長いTTIサブフレームの長さは、1msであり、長いTTIサブフレームは、長いTTIに従って付番されたサブフレームである。
【０１０８】
以下で、本発明の実施形態による基地局を説明する。図3を参照すると、この実施形態の基地局は、
端末が短いTTIサブフレームの送信をサポートすると判定するように構成された判定ユニット301であって、短いTTIサブフレームが、短いTTIに従って付番されたサブフレームであり、短いTTIサブフレームの長さが、1ms未満である、判定ユニット301と、
端末によってサポートされる短いTTIサブフレームの送信によって端末にDRX構成情報を届けるように構成された送信ユニット302とを含む。
【０１０９】
加えて、この実施形態の基地局は、
判定ユニット301が端末が短いTTIサブフレームの送信をサポートすると判定する前に、端末によって送信された能力通知メッセージを受信するように構成された受信ユニット303であって、能力通知メッセージが、端末が短いTTIサブフレームの送信をサポートすることを基地局に知らせるために使用される、受信ユニット303をさらに含み得る。
【０１１０】
特定の実装においては、端末がネットワークにアクセスするとき、端末が、基地局に能力通知メッセージを送信する可能性がある。受信ユニット303は、能力通知メッセージを受信し、判定ユニット301は、能力通知メッセージに従って、端末が短いTTIサブフレームの送信をサポートすると判定する。代替的に、判定ユニット301は、端末に関連する予め記憶された情報に従って、端末が短いTTIサブフレームの送信をサポートすると判定する。短いTTIサブフレームの長さの値は、0msから1msまで、たとえば、0.5msまたは0.8ms以内に入る可能性がある。端末が短いTTIサブフレームの送信をサポートすると判定された後、送信ユニット302は、端末によってサポートされる短いTTIサブフレームの送信に従って、無線リソース制御(Radio Resource Control、RRC)シグナリングを使用することによって端末にDRX構成情報を届ける。
【０１１１】
DRX構成情報は、オン継続時間タイマーonDurationTimerのタイミングの長さ、DRX非アクティブタイマーdrx-InactivityTimerのタイミングの長さ、DRX再送信タイマーdrx-RetransmissionTimerのタイミングの長さ、ハイブリッド自動再送要求往復遅延時間タイマーHARQ RTT Timerのタイミングの長さ、短いDRXサイクルの長さ、長いDRXサイクルの長さ、およびDRX開始オフセットdrxStartOffsetを含む。
【０１１２】
短いDRXサイクルの長さと長いDRXサイクルの長さとの両方が、短いTTIサブフレームの長さをパラメータとして使用する。それに対応して、サイクルの長さの特定の値は、短いDRXサイクルの長さおよび長いDRXサイクルの長さが長いTTIサブフレームの長さをパラメータとして使用するときの短いDRXサイクルの長さの特定の値および長いDRXサイクルの長さの特定の値と同じである。DRX開始オフセットdrxStartOffsetは、短いTTIサブフレームをパラメータとして使用することによってカウントされる。
【０１１３】
長いTTIサブフレームの長さは、既存の標準TTIの長さである可能性があり、つまり、長いTTIサブフレームの長さは、1msである。確かに、長いTTIサブフレームの長さは、1ms未満の別の値である可能性があり、短いTTIサブフレームの長さは、長いTTIサブフレームの長さ未満である。
【０１１４】
さらに、オン継続時間タイマーのタイミングの長さ、DRX非アクティブタイマーのタイミングの長さ、およびDRX再送信タイマーのタイミングの長さは、すべて短いTTIサブフレームの長さをパラメータとして使用し、それに対応して、タイミングの長さの特定の値は、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
オン継続時間タイマーのタイミングの長さ、DRX非アクティブタイマーのタイミングの長さ、およびDRX再送信タイマーのタイミングの長さは、長いTTIサブフレームの長さをパラメータとして引き続き使用し、タイミングの長さは、変わらない。
【０１１５】
たとえば、長いTTIかまたは短いTTIかのどちらかが使用され、オン継続時間タイマーのタイミングの長さは10msである。短いTTIサブフレームの長さが0.5msであると仮定すると、短いTTIサブフレームの長さがパラメータとして使用される場合、オン継続時間タイマーのものであり、RRCシグナリング内で構成されるタイミングの長さは、20個の短いTTIサブフレームの長さであり、または長いTTIサブフレームの長さがパラメータとして使用される場合、オン継続時間タイマーのものであり、RRCシグナリング内で構成されるタイミングの長さは、10個の長いTTIサブフレームの長さである。
【０１１６】
ハイブリッド自動再送要求往復遅延時間タイマーのタイミングの長さも、短いTTIサブフレームの長さをパラメータとして使用する。短いTTIでハイブリッド自動再送要求往復遅延時間タイマーに含まれる短いTTIサブフレームの量は、長いTTIでハイブリッド自動再送要求往復遅延時間タイマーに含まれる長いTTIサブフレームの量と同じである。つまり、ハイブリッド自動再送要求往復遅延時間タイマーのタイミングの長さは、2つの場合で変わる。たとえば、短いTTIサブフレームの長さは、0.5msであり、ハイブリッド自動再送要求往復遅延時間タイマーのタイミングの長さは、長いTTIで8つの長いTTIサブフレームの長さ(すなわち、8ms)であり、ハイブリッド自動再送要求往復遅延時間タイマーのタイミングの長さは、短いTTIで8つの短いTTIサブフレームの長さ(すなわち、4ms)である。
【０１１７】
端末側では、短いTTIサブフレームが、短いTTIに従って付番され、短いTTIサブフレームの長さは、短いTTIの長さ、たとえば、0.5msと同じである。端末は、基地局によって届けられたDRX構成情報を受信した後、基地局によって届けられたDRX構成情報に従ってDRXを実行する。DRXを実行する特定のプロセスに関しては、上述の実施形態の説明を参照されたい。詳細は、本明細書において再度説明されない。
【０１１８】
図4を参照すると、本発明の別の実施形態の基地局が、第2のメモリ401、第2のプロセッサ402、および第2のトランシーバ403を含む。第2のプロセッサ402は、以下の機能、すなわち、
端末が短いTTIサブフレームの送信をサポートすると判定することであって、短いTTIサブフレームが、短いTTIに従って付番されたサブフレームであり、短いTTIサブフレームの長さが、1ms未満である、判定することと、
端末によってサポートされる短いTTIサブフレームの送信によって端末にDRX構成情報を届けるように第2のトランシーバ403を制御することとを実施するために第2のメモリ401に記憶されたソフトウェアプログラムを呼び出す。
【０１１９】
任意で、端末が短いTTIサブフレームの送信をサポートすると判定する前に、第2のプロセッサ402は、端末によって送信された能力通知メッセージを受信するように第2のトランシーバ403を制御する。能力通知メッセージは、端末が短いTTIサブフレームの送信をサポートすることを基地局に知らせるために使用される。
【０１２０】
任意で、DRX構成情報は、
DRXに関連するタイマーのタイミングの長さ、短いDRXサイクルの長さ、長いDRXサイクルの長さ、およびDRX開始オフセットdrxStartOffsetを含む。
【０１２１】
任意で、DRXに関連するタイマーは、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む。
【０１２２】
任意で、DRX構成情報内のオン継続時間タイマーのタイミングの長さ、DRX非アクティブタイマーのタイミングの長さ、およびDRX再送信タイマーのタイミングの長さは、すべて短いTTIサブフレームの長さをパラメータとして使用し、それに対応して、タイミングの長さの特定の値は、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
DRX構成情報内のオン継続時間タイマーのタイミングの長さ、DRX非アクティブタイマーのタイミングの長さ、およびDRX再送信タイマーのタイミングの長さは、すべて長いTTIサブフレームの長さをパラメータとして使用する。
【０１２３】
任意で、DRX構成情報内のハイブリッド自動再送要求往復遅延時間タイマーのタイミングの長さは、短いTTIサブフレームの長さをパラメータとして使用し、短いTTIでハイブリッド自動再送要求往復遅延時間タイマーに含まれる短いTTIサブフレームの量は、長いTTIでハイブリッド自動再送要求往復遅延時間タイマーに含まれる長いTTIサブフレームの量と同じである。
【０１２４】
任意で、長いTTIサブフレームの長さは、1msであり、長いTTIサブフレームは、長いTTIに従って付番されたサブフレームである。
【０１２５】
以下で、本発明の実施形態によるDRXの実施方法を説明する。図5を参照すると、この実施形態の方法は、以下のステップを含む。
【０１２６】
ステップ501:  基地局によって送信されたDRX構成情報を受信し、端末は、短いTTIサブフレームの送信をサポートする。
【０１２７】
ステップ502:  DRX構成情報、システムフレーム番号SFN、および短いTTIサブフレームのフレーム番号に従ってDRXを実行し、短いTTIサブフレームは、短いTTIに従って付番されたサブフレームであり、短いTTIサブフレームの長さは、1ms未満である。
【０１２８】
加えて、ステップ501の前に、端末は、さらに、基地局に能力通知メッセージを送信する可能性がある。能力通知メッセージは、端末が短いTTIサブフレームの送信をサポートすることを基地局に知らせるために使用される。
【０１２９】
特定の実装においては、端末がネットワークにアクセスするとき、端末が、基地局に能力通知メッセージを送信する可能性があり、基地局は、通知メッセージに従って、端末が短いTTIサブフレームの送信をサポートすると判定する。代替的に、基地局は、端末に関連する予め記憶された情報に従って、端末が短いTTIサブフレームの送信をサポートすると判定する。短いTTIサブフレームの値は、0msから1msまで、たとえば、0.5msまたは0.8ms以内に入る可能性がある。端末が短いTTIサブフレームの送信をサポートすると判定した後、基地局は、端末によってサポートされる短いTTIサブフレームの送信に従って、RRCシグナリングを使用することによって端末にDRX構成情報を届け、端末は、基地局によって届けられたDRX構成情報を受信する。
【０１３０】
DRX構成情報は、オン継続時間タイマーonDurationTimerのタイミングの長さ、DRX非アクティブタイマーdrx-InactivityTimerのタイミングの長さ、DRX再送信タイマーdrx-RetransmissionTimerのタイミングの長さ、ハイブリッド自動再送要求往復遅延時間タイマーHARQ RTT Timerのタイミングの長さ、短いDRXサイクルの長さ、長いDRXサイクルの長さ、およびDRX開始オフセットdrxStartOffsetを含む。
【０１３１】
短いDRXサイクルの長さと長いDRXサイクルの長さとの両方が、短いTTIサブフレームの長さをパラメータとして使用する。それに対応して、サイクルの長さの特定の値は、短いDRXサイクルの長さおよび長いDRXサイクルの長さが長いTTIサブフレームの長さをパラメータとして使用するときの短いDRXサイクルの長さの特定の値および長いDRXサイクルの長さの特定の値と同じである。DRX開始オフセットdrxStartOffsetは、短いTTIサブフレームをパラメータとして使用することによってカウントされる。
【０１３２】
長いTTIサブフレームの長さは、既存の標準TTIの長さである可能性があり、つまり、長いTTIサブフレーム長さは、1msである。確かに、長いTTIサブフレームの長さは、1ms未満の別の値である可能性があり、短いTTIサブフレームの長さは、長いTTIサブフレームの長さ未満である。
【０１３３】
さらに、オン継続時間タイマーのタイミングの長さ、DRX非アクティブタイマーのタイミングの長さ、およびDRX再送信タイマーのタイミングの長さは、すべて短いTTIサブフレームの長さをパラメータとして使用し、それに対応して、タイミングの長さの特定の値は、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
オン継続時間タイマーのタイミングの長さ、DRX非アクティブタイマーのタイミングの長さ、およびDRX再送信タイマーのタイミングの長さは、長いTTIサブフレームの長さをパラメータとして引き続き使用し、タイミングの長さは、変わらない。
【０１３４】
たとえば、長いTTIかまたは短いTTIかのどちらかが使用され、オン継続時間タイマーのタイミングの長さは10msである。短いTTIサブフレームの長さが0.5msであると仮定すると、短いTTIサブフレームの長さがパラメータとして使用される場合、オン継続時間タイマーのものであり、RRCシグナリング内で構成されるタイミングの長さは、20個の短いTTIサブフレームの長さであり、または長いTTIサブフレームの長さがパラメータとして使用される場合、オン継続時間タイマーのものであり、RRCシグナリング内で構成されるタイミングの長さは、10個の長いTTIサブフレームの長さである。
【０１３５】
ハイブリッド自動再送要求往復遅延時間タイマーのタイミングの長さも、短いTTIサブフレームの長さをパラメータとして使用する。短いTTIでハイブリッド自動再送要求往復遅延時間タイマーに含まれる短いTTIサブフレームの量は、長いTTIでハイブリッド自動再送要求往復遅延時間タイマーに含まれる長いTTIサブフレームの量と同じである。つまり、ハイブリッド自動再送要求往復遅延時間タイマーのタイミングの長さは、2つの場合で変わる。たとえば、短いTTIサブフレームの長さは、0.5msであり、ハイブリッド自動再送要求往復遅延時間タイマーのタイミングの長さは、長いTTIで8つの長いTTIサブフレームの長さ(すなわち、8ms)であり、ハイブリッド自動再送要求往復遅延時間タイマーのタイミングの長さは、短いTTIで8つの短いTTIサブフレームの長さ(すなわち、4ms)である。
【０１３６】
端末側では、短いTTIサブフレームが、短いTTIの長さに従ってやはり付番され、短いTTIサブフレームの長さは、短いTTIの長さ、たとえば、0.5msと同じである。端末は、基地局によって届けられたDRX構成情報を受信した後、DRX構成情報に従ってDRXを実行する。
【０１３７】
特に、端末がDRXを実行するプロセスは、以下の通りである可能性がある。
【０１３８】
短いDRXサイクルが使用されるとき、短いTTIサブフレームのフレーム番号(shortenSubframe)が、次の条件、すなわち、
[(SFN * 10) + 短いTTIサブフレームのフレーム番号] mod (短いDRXサイクルの長さ) = (drxStartOffset) mod (短いDRXサイクルの長さ)を満たす場合、オン継続時間タイマーが、有効化され、PDCCHのリスニングが、始まる。本明細書において、SFNは、システムフレーム番号であり、システムフレーム番号は、基地局によって送信されるブロードキャストメッセージおよびブラインド検出の結果に従って端末によって決定される可能性があり、drxStartOffsetは、DRX開始オフセット、すなわち、DRXにおいてオン継続時間タイマーが有効化される短いTTIサブフレームである。
【０１３９】
長いDRXサイクルが使用されるとき、短いTTIサブフレームのフレーム番号が、次の条件、すなわち、
[(SFN * 10) + 短いTTIサブフレームのフレーム番号] mod (長いDRXサイクルの長さ) = drxStartOffsetを満たす場合、オン継続時間タイマーが、有効化され、PDCCHのリスニングが、始まる。
【０１４０】
加えて、短いTTIサブフレームのフレーム番号が上述の条件を満たし、瞬間が正に整数の瞬間であるとき、端末のデータ収集を容易にするために、オン継続時間タイマーが、有効化される可能性があり、PDCCHのリスニングが、始まる。たとえば、短いTTIサブフレームの長さが0.5msであるとき、オン継続時間タイマーは、短いTTIサブフレームのフレーム番号が上述の条件を満たし、フレーム番号が偶数であるときに有効化される可能性がある。このようにして、リスニングの開始の瞬間は、ちょうど整数の瞬間(たとえば、1msまたは2ms)である。
【０１４１】
オン継続時間タイマーが有効化され、PDCCHがリスニングされるとき、端末がHARQの初期送信に関する制御シグナリングを受信する場合、DRX非アクティブタイマーが、リスニング時間を遅らせるために有効化される。さらに、HARQ RTTタイマーが有効化される。したがって、端末は、次の再送信の前にPDCCHをリスニングしない可能性がある。つまり、端末は、DRX非アクティブタイマーが切れた後およびHARQ RTTタイマーが切れる前にPDCCHをリスニングしない。対応するHARQ手順のデータが前のHARQ送信の後で正常に復号されない(たとえば、端末が否定応答NACKをフィードバックする)場合、HARQ RTTタイマーが切れた後、端末は、DRX再送信タイマーを有効化し、PDCCHをリスニングし続ける。
【０１４２】
オン継続時間タイマー、DRX非アクティブタイマー、またはDRX再送信タイマーのうちのいずれか1つが動くように有効化される限り端末がPDCCHをリスニングすることが、上述のプロセスから知られ得る。
【０１４３】
この実施形態の方法は、上述の装置の実施形態において説明されたその他の内容をさらに含み得る。説明を容易にするために、詳細は、本明細書において再度説明されない。詳細に関しては、上述の装置の実施形態を参照されたい。
【０１４４】
この実施形態においては、基地局が、端末によってサポートされる短いTTIサブフレームの送信によって端末にDRX構成情報を届ける。端末は、基地局によって届けられたDRX構成情報を受信し、基地局によって届けられたDRX構成情報、システムフレーム番号、および短いTTIサブフレームのフレーム番号に従ってDRXを実行する。短いTTIサブフレームは、短いTTIに従って付番されたサブフレームであり、短いTTIサブフレームの長さは、1ms未満である。したがって、この実施形態は、システムの性能全体を改善するために、TTIが短くされるときにDRXを実装するソリューションを提供する。
【０１４５】
図6を参照すると、本発明の実施形態は、以下のステップを含むDRX構成方法の実施形態を提供する。
【０１４６】
601:  端末が短いTTIサブフレームの送信をサポートすると判定し、短いTTIサブフレームは、短いTTIに従って付番されたサブフレームであり、短いTTIサブフレームの長さは、1ms未満である。
【０１４７】
602:  端末によってサポートされる短いTTIサブフレームの送信によって端末にDRX構成情報を届ける。
【０１４８】
加えて、ステップ601の前に、基地局は、端末によって送信された能力通知メッセージをさらに受信する可能性がある。能力通知メッセージは、端末が短いTTIサブフレームの送信をサポートすることを基地局に知らせるために使用される。
【０１４９】
特定の実装においては、端末がネットワークにアクセスするとき、端末が、基地局に能力通知メッセージを送信する可能性がある。基地局は、能力通知メッセージを受信し、基地局は、能力通知メッセージに従って、端末が短いTTIサブフレームの送信をサポートすると判定する。代替的に、基地局は、端末に関連する予め記憶された情報に従って、端末が短いTTIサブフレームの送信をサポートすると判定する。短いTTIサブフレームの長さの値は、0msから1msまで、たとえば、0.5msまたは0.8ms以内に入る可能性がある。端末が短いTTIサブフレームの送信をサポートすると判定された後、送信ユニット302は、端末によってサポートされる短いTTIサブフレームの送信に従って、無線リソース制御(Radio Resource Control、RRC)シグナリングを使用することによって端末にDRX構成情報を届ける。
【０１５０】
DRX構成情報は、オン継続時間タイマーonDurationTimerのタイミングの長さ、DRX非アクティブタイマーdrx-InactivityTimerのタイミングの長さ、DRX再送信タイマーdrx-RetransmissionTimerのタイミングの長さ、ハイブリッド自動再送要求往復遅延時間タイマーHARQ RTT Timerのタイミングの長さ、短いDRXサイクルの長さ、長いDRXサイクルの長さ、およびDRX開始オフセットdrxStartOffsetを含む。
【０１５１】
短いDRXサイクルの長さと長いDRXサイクルの長さとの両方が、短いTTIサブフレームの長さをパラメータとして使用する。それに対応して、サイクルの長さの特定の値は、短いDRXサイクルの長さおよび長いDRXサイクルの長さが長いTTIサブフレームの長さをパラメータとして使用するときの短いDRXサイクルの長さの特定の値および長いDRXサイクルの長さの特定の値と同じである。DRX開始オフセットdrxStartOffsetは、短いTTIサブフレームをパラメータとして使用することによってカウントされる。
【０１５２】
長いTTIサブフレームの長さは、既存の標準TTIの長さである可能性があり、つまり、長いTTIサブフレーム長さは、1msである。確かに、長いTTIサブフレームの長さは、1ms未満の別の値である可能性があり、短いTTIサブフレームの長さは、長いTTIサブフレームの長さ未満である。
【０１５３】
さらに、オン継続時間タイマーのタイミングの長さ、DRX非アクティブタイマーのタイミングの長さ、およびDRX再送信タイマーのタイミングの長さは、すべて短いTTIサブフレームの長さをパラメータとして使用し、それに対応して、タイミングの長さの特定の値は、オン継続時間タイマーのタイミングの長さ、DRX非アクティブタイマーのタイミングの長さ、およびDRX再送信タイマーのタイミングの長さが長いTTIサブフレームの長さをパラメータとして使用するときのオン継続時間タイマーのタイミングの長さの特定の値、DRX非アクティブタイマーのタイミングの長さの特定の値、およびDRX再送信タイマーのタイミングの長さの特定の値と同じであり、または
オン継続時間タイマーのタイミングの長さ、DRX非アクティブタイマーのタイミングの長さ、およびDRX再送信タイマーのタイミングの長さは、長いTTIサブフレームの長さをパラメータとして引き続き使用し、タイミングの長さは、変わらない。
【０１５４】
たとえば、長いTTIかまたは短いTTIかのどちらかが使用され、オン継続時間タイマーのタイミングの長さは10msである。短いTTIサブフレームの長さが0.5msであると仮定すると、短いTTIサブフレームの長さがパラメータとして使用される場合、オン継続時間タイマーのものであり、RRCシグナリング内で構成されるタイミングの長さは、20個の短いTTIサブフレームの長さであり、または長いTTIサブフレームの長さがパラメータとして使用される場合、オン継続時間タイマーのものであり、RRCシグナリング内で構成されるタイミングの長さは、10個の長いTTIサブフレームの長さである。
【０１５５】
ハイブリッド自動再送要求往復遅延時間タイマーのタイミングの長さも、短いTTIサブフレームの長さをパラメータとして使用する。短いTTIでハイブリッド自動再送要求往復遅延時間タイマーに含まれる短いTTIサブフレームの量は、長いTTIでハイブリッド自動再送要求往復遅延時間タイマーに含まれる長いTTIサブフレームの量と同じである。つまり、ハイブリッド自動再送要求往復遅延時間タイマーのタイミングの長さは、2つの場合で変わる。たとえば、短いTTIサブフレームの長さは、0.5msであり、ハイブリッド自動再送要求往復遅延時間タイマーのタイミングの長さは、長いTTIで8つの長いTTIサブフレームの長さ(すなわち、8ms)であり、ハイブリッド自動再送要求往復遅延時間タイマーのタイミングの長さは、短いTTIで8つの短いTTIサブフレームの長さ(すなわち、4ms)である。
【０１５６】
端末側では、短いTTIサブフレームが、短いTTIの長さに従ってやはり付番され、短いTTIサブフレームの長さは、短いTTIの長さ、たとえば、0.5msと同じである。端末は、基地局によって届けられたDRX構成情報を受信した後、基地局によって届けられたDRX構成情報に従ってDRXを実行する。
【０１５７】
説明を容易にするために、この実施形態において詳細に説明されないプロセスに関しては、上述の対応する装置の実施形態の説明を参照されたい。
【０１５８】
この実施形態においては、端末が基地局によって届けられたDRX構成情報、システムフレーム番号、および短いTTIサブフレームのフレーム番号に従ってDRXを実行するように、基地局が、端末が短いTTIサブフレームの送信をサポートすると判定し、それから、端末によってサポートされる短いTTIサブフレームの送信に従って端末にDRX構成情報を届ける。短いTTIサブフレームは、短いTTIに従って付番されたサブフレームであり、短いTTIサブフレームの長さは、1ms未満である。したがって、この実施形態は、システムの性能全体を改善するために、TTIが短くされるときにDRXを実装するソリューションを提供する。
【０１５９】
丁度よい簡潔な説明を目的として、上述のシステム、装置、およびユニットの詳細な動作プロセスに関しては、上述の方法の実施形態の対応するプロセスが参照可能であり、詳細は本明細書において説明されないことは、当業者によってはっきりと理解されるであろう。
【０１６０】
本出願において提供されたいくつかの実施形態において、開示されたシステム、装置、および方法は別様に実装され得ることを理解されたい。たとえば、説明された装置の実施形態は、例であるに過ぎない。たとえば、ユニットの分割は、単に論理的な機能の分割であり、実際の実装においてはその他の分割である可能性がある。たとえば、複数のユニットもしくは構成要素が、組み合わされるかもしくは別のシステムに統合される可能性があり、または一部の特徴が、無視されるかもしくは実行されない可能性がある。加えて、示されたかまたは検討された相互の結合または直接的な結合または通信接続は、いくつかのインターフェース、装置もしくはユニットの間の間接的な結合もしくは通信接続、または電気的接続、機械的接続、もしくはその他の形態の接続によって実装される可能性がある。
【０１６１】
別々の部分として説明されたユニットは、物理的に分かれている可能性があり、または物理的に分かれていない可能性があり、ユニットとして示された部分は、物理的なユニットである可能性があり、または物理的なユニットではない可能性があり、1つの位置に置かれる可能性があり、または複数のネットワークユニットに分散される可能性がある。ユニットの一部またはすべては、実施形態のソリューションの目的を達成するための実際の必要に応じて選択され得る。
【０１６２】
加えて、本発明の実施形態の機能ユニットが、1つの処理ユニットに統合される可能性があり、またはユニットの各々が、物理的に独立して存在する可能性があり、または2つ以上のユニットが、1つのユニットに統合される。統合されたユニットは、ハードウェアの形態で実装される可能性があり、またはソフトウェアの機能ユニットの形態で実装される可能性がある。
【０１６３】
統合されたユニットは、ソフトウェアの機能ユニットの形態で実装され、独立した製品として販売されるかまたは使用されるとき、コンピュータ可読ストレージ媒体に記憶され得る。そのような理解に基づいて、本発明の技術的なソリューションは基本的にソフトウェア製品の形態で実装される可能性があり、あるいは従来技術、または技術的なソリューションのすべてもしくは一部に寄与する部分はソフトウェア製品の形態で実装される可能性がある。ソフトウェア製品は、ストレージ媒体に記憶され、本発明の実施形態において説明された方法のステップのすべてまたは一部を実行するように(パーソナルコンピュータ、サーバ、またはネットワークデバイスである可能性がある)コンピュータデバイスに命じるためのいくつかの命令を含む。上述のストレージ媒体は、USBフラッシュドライブ、取り外し可能なハードディスク、読み出し専用メモリ(ROM、Read-Only Memory)、ランダムアクセスメモリ(RAM、Random Access Memory)、磁気ディスク、または光ディスクなどのプログラムコードを記憶することができる任意の媒体を含む。
【０１６４】
上述の実施形態は、単に本発明の技術的なソリューションを説明するように意図されており、本発明を限定するように意図されていない。本発明が上述の実施形態に関連して詳細に説明されているが、当業者は、当業者が、本発明の実施形態の技術的なソリューションの精神および範囲を逸脱することなく、上述の実施形態において説明された技術的なソリューションに対する修正をやはり行う可能性があり、またはそれらの技術的なソリューションの一部の技術的な特徴に対して均等な置き換えを行う可能性があることを理解するに違いない。
【符号の説明】
【０１６５】
101  受信ユニット
102  処理ユニット
103  送信ユニット
201  第1のメモリ
202  第1のプロセッサ
203  第1のトランシーバ
301  判定ユニット
302  送信ユニット
303  受信ユニット
401  第2のメモリ
402  第2のプロセッサ
403  第2のトランシーバ
【図１】
2018517375.tif 000003
【図２】
2018517375.tif 000004
【図３】
2018517375.tif 000005
【図４】
2018517375.tif 000006
【図５】
2018517375.tif 000007
【図６】
2018517375.tif 000008
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
端末であって、
基地局によって送信された間欠受信DRX構成情報を受信するように構成された受信ユニットであって、前記端末が、短い送信時間間隔TTIサブフレームの送信をサポートする、受信ユニットと、
前記DRX構成情報、システムフレーム番号SFN、および前記短いTTIサブフレームのフレーム番号に従ってDRXを実行するように構成された処理ユニットであって、前記短いTTIサブフレームが、短いTTIに従って付番されたサブフレームであり、前記短いTTIサブフレームの長さが、1ms未満である、処理ユニットとを含む、端末。
【請求項２】
前記受信ユニットが前記基地局によって送信された前記DRX構成情報を受信する前に前記基地局に能力通知メッセージを送信するように構成された送信ユニットであって、前記能力通知メッセージが、前記端末が前記短いTTIサブフレームの送信をサポートすることを前記基地局に知らせるために使用される、送信ユニットをさらに含む請求項1に記載の端末。
【請求項３】
前記DRX構成情報が、
DRXに関連するタイマーのタイミングの長さ、短いDRXサイクルの長さ、長いDRXサイクルの長さ、およびDRX開始オフセットを含む請求項1に記載の端末。
【請求項４】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項3に記載の端末。
【請求項５】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項4に記載の端末。
【請求項６】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項4に記載の端末。
【請求項７】
前記長いTTIサブフレームの長さが、1msであり、前記長いTTIサブフレームが、長いTTIに従って付番されたサブフレームである請求項5または6に記載の端末。
【請求項８】
端末が短い送信時間間隔TTIサブフレームの送信をサポートすると判定するように構成された判定ユニットであって、前記短いTTIサブフレームが、短いTTIに従って付番されたサブフレームであり、前記短いTTIサブフレームの長さが、1ms未満である、判定ユニットと、
前記端末によってサポートされる前記短いTTIサブフレームの送信によって前記端末にDRX構成情報を届けるように構成された送信ユニットとを含む基地局。
【請求項９】
前記判定ユニットが前記端末が前記短いTTIサブフレームの送信をサポートすると判定する前に、前記端末によって送信された能力通知メッセージを受信するように構成された受信ユニットであって、前記能力通知メッセージが、前記端末が前記短いTTIサブフレームの送信をサポートすることを前記基地局に知らせるために使用される、受信ユニットをさらに含む請求項8に記載の基地局。
【請求項１０】
前記DRX構成情報が、
DRXに関連するタイマーのタイミングの長さ、短いDRXサイクルの長さ、長いDRXサイクルの長さ、およびDRX開始オフセットdrxStartOffsetを含む請求項8に記載の基地局。
【請求項１１】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項10に記載の基地局。
【請求項１２】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項11に記載の基地局。
【請求項１３】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項11に記載の基地局。
【請求項１４】
前記長いTTIサブフレームの長さが、1msであり、前記長いTTIサブフレームが、長いTTIに従って付番されたサブフレームである請求項12または13に記載の基地局。
【請求項１５】
間欠受信DRXの実施方法であって、
基地局によって送信されたDRX構成情報を端末によって受信するステップであって、前記端末が、短い送信時間間隔TTIサブフレームの送信をサポートする、ステップと、
前記DRX構成情報、システムフレーム番号SFN、および前記短いTTIサブフレームのフレーム番号に従ってDRXを実行するステップであって、前記短いTTIサブフレームが、短いTTIに従って付番されたサブフレームであり、前記短いTTIサブフレームの長さが、1ms未満である、ステップとを含む、方法。
【請求項１６】
基地局によって送信されたDRX構成情報を受信する前に、
前記基地局に能力通知メッセージを送信するステップであって、前記能力通知メッセージが、前記端末が前記短いTTIサブフレームの送信をサポートすることを前記基地局に知らせるために使用される、ステップをさらに含む請求項15に記載の方法。
【請求項１７】
前記DRX構成情報が、
DRXに関連するタイマーのタイミングの長さ、短いDRXサイクルの長さ、長いDRXサイクルの長さ、およびDRX開始オフセットdrxStartOffsetを含む請求項15に記載の方法。
【請求項１８】
前記DRXに関連するタイマーが、
オン継続時間タイマーonDurationTimer、DRX非アクティブタイマーdrx-InactivityTimer、DRX再送信タイマーdrx-RetransmissionTimer、およびハイブリッド自動再送要求往復遅延時間タイマーHARQ RTT Timerを含む請求項17に記載の方法。
【請求項１９】
前記DRX構成情報内の前記オン継続時間タイマーのタイミングの長さ、前記DRX非アクティブタイマーのタイミングの長さ、および前記DRX再送信タイマーのタイミングの長さが、すべて前記短いTTIサブフレームの前記長さをパラメータとして使用し、それに対応して、前記タイミングの長さの特定の値が、前記オン継続時間タイマーの前記タイミングの長さ、前記DRX非アクティブタイマーの前記タイミングの長さ、および前記DRX再送信タイマーの前記タイミングの長さが長いTTIサブフレームの長さをパラメータとして使用するときの前記オン継続時間タイマーの前記タイミングの長さの特定の値、前記DRX非アクティブタイマーの前記タイミングの長さの特定の値、および前記DRX再送信タイマーの前記タイミングの長さの特定の値と同じであり、または
前記DRX構成情報内の前記オン継続時間タイマーのタイミングの長さ、前記DRX非アクティブタイマーのタイミングの長さ、および前記DRX再送信タイマーのタイミングの長さが、すべて前記長いTTIサブフレームの長さをパラメータとして使用する請求項18に記載の方法。
【請求項２０】
前記DRX構成情報内の前記ハイブリッド自動再送要求往復遅延時間タイマーのタイミングの長さが、前記短いTTIサブフレームの前記長さをパラメータとして使用し、前記短いTTIで前記ハイブリッド自動再送要求往復遅延時間タイマーに含まれる短いTTIサブフレームの量が、長いTTIで前記ハイブリッド自動再送要求往復遅延時間タイマーに含まれる長いTTIサブフレームの量と同じである請求項18に記載の方法。
【請求項２１】
前記長いTTIサブフレームの長さが、1msであり、前記長いTTIサブフレームが、長いTTIに従って付番されたサブフレームである請求項19または20に記載の方法。
【請求項２２】
間欠受信DRXの構成方法であって、
端末が短い送信時間間隔TTIサブフレームの送信をサポートすると基地局によって判定するステップであって、前記短いTTIサブフレームが、短いTTIに従って付番されたサブフレームであり、前記短いTTIサブフレームの長さが、1ms未満である、ステップと、
前記端末によってサポートされる前記短いTTIサブフレームの送信によって前記端末にDRX構成情報を届けるステップとを含む、方法。
【請求項２３】
端末が短いTTIサブフレームの送信をサポートすると判定する前に、
前記端末によって送信された能力通知メッセージを受信するステップであって、前記能力通知メッセージが、前記端末が前記短いTTIサブフレームの送信をサポートすることを前記基地局に知らせるために使用される、ステップをさらに含む請求項22に記載の方法。
【手続補正２】
【補正対象書類名】明細書
【補正対象項目名】００７８
【補正方法】変更
【補正の内容】
【００７８】
特に、たとえば、端末がランダムアクセスを実行するプロセスにおいて、短いTTIサブフレームが使用される場合、対応するサブフレームの量が、それに対応して増やされる必要がある。このプロセスにおいて、端末は、まず、プリアンブルシーケンスを運ぶメッセージ1(Msg1)を、ランダムアクセスチャネル(Random Access Channel、RACH)を使用することによって基地局に送信する。UEによって送信されたMsg1を受信した後、基地局は、メッセージ2(Msg2)を端末に返す。無線ネットワーク一時識別子(Radio Network Temporary Identifier、RNTI)が、端末がMsg2を受信するプロセスにおいてインデックスとして使用される必要がある。RNTIの計算方法は、次の通りである。
RA-RNTI= 1 + t_id+10*f_id
【手続補正３】
【補正対象書類名】明細書
【補正対象項目名】０１６４
【補正方法】変更
【補正の内容】
【０１６４】
上述の実施形態は、単に本発明の技術的なソリューションを説明するように意図されており、本発明を限定するように意図されていない。本発明が上述の実施形態に関連して詳細に説明されているが、当業者は、当業者が、本発明の実施形態の技術的なソリューションの範囲を逸脱することなく、上述の実施形態において説明された技術的なソリューションに対する修正をやはり行う可能性があり、またはそれらの技術的なソリューションの一部の技術的な特徴に対して均等な置き換えを行う可能性があることを理解するに違いない。
【国際調査報告】
2018517375.tif 000009
2018517375.tif 000010
2018517375.tif 000011
2018517375.tif 000012